(57)【特許請求の範囲】
【請求項１】
胛被と中底とを縫着した袋物胛被の下面に、射出成形又は注入成形により靴底を当接した防水靴において、
前記胛被は、胛表材部品同志が縫着された胛表材と、胛裏材とからなり、
前記胛表材は、裏面に熱可塑性合成樹脂がラミネートされており、前記胛表材部品同志の縫着部の縫い目は、前記熱可塑性合成樹脂の加熱溶融によりシールされており、
前記胛表材部品同志の縫着部の縫い目の内、胛被の下周縁部へ向かう着部の縫い目は、胛被の下周縁部における中底材や胛裏材と縫着した縫い目と交差することなく、縫い止めされており、
その縫い止めされた縫い目は、靴底により被覆されていることを特徴とする防水靴。
【請求項２】
前記胛表材部品同志の縫着部の内、胛被の下周縁部へ向かう胛表材部品同志の縫着部は、胛表材部品と胛表材部品とを重ね縫い、又は胛表材部品と胛表材部品とを割り押さえ縫いされていることを特徴とする請求項１記載の防水靴。
【請求項３】
前記胛表材は、合成皮革、人工皮革、撥水処理された皮革等の防水性の素材であることを特徴とする請求項１記載の防水靴。
【請求項４】
前記靴底は、ポリ塩化ビニル、熱可塑性ゴム等の熱可塑性樹脂やポリオール液とポリイソシアネート液を混合して発泡硬化させた発泡ポリウレタンであることを特徴とする請求項１記載の防水靴。
【発明の詳細な説明】
【０００１】
【発明の属する技術分野】
本発明は、袋物胛被を有した防水靴に関するもので、特に靴底が射出成形又は注入成形により成形された防水靴に関するものである。
【０００２】
【従来の技術】
防水性を必要とする靴胛被の縫着部をシールする方法としては、縫い糸に撥水糸を使用したり、縫い目に撥水剤を塗布したり、また、縫い目の裏に防水テープを貼り付けたり、或いは縫い目に防水液を塗布する等の方法があり、これらの方法を組み合わせて実施されている。
【０００３】
前記防水方法を採用しても、胛被と中底が縫着された袋物胛被を有する射出成形靴においては、胛表材の縫着部の糸目を伝わって水が浸入し、中底材や胛裏材等の内装材と交差し内部の糸目へ水が浸入し、防水性がが完全ではなかった。
【０００４】
また、胛被の縫着部の縫い目には、撥水剤を塗布したり、縫い目の裏に防水テープを貼り付けたり、防水液を塗布する等の対策が必要となり、作業工程上負荷が掛かりるものであった。
【０００５】
【発明が解決しようとする課題】
本発明の防水靴は、袋物胛被の縫着部の縫い目のシールを完全にし、防水処理のために要する工程の簡略化を計るものである。
【０００６】
【課題を解決するための手段】
本発明の防水靴は、
胛被と中底とを縫着した袋物胛被の下面に、射出成形又は注入成形により靴底を当接した防水靴において、
前記胛被は、胛表材部品同志が縫着された胛表材と、胛裏材とからなり、
前記胛表材は、裏面に熱可塑性合成樹脂がラミネートされており、前記胛表材部品同志の縫着部の縫い目は、前記熱可塑性合成樹脂の加熱溶融によりシールされており、
前記胛表材部品同志の縫着部の縫い目の内、胛被の下周縁部へ向かう着部の縫い目は、胛被の下周縁部における中底材や胛裏材と縫着した縫い目と交差することなく、縫い止めされており、
その縫い止めされた縫い目は、靴底により被覆されていることを特徴とする。
【０００７】
本発明の防水靴に使用する胛表材は、その裏面に熱可塑性合成樹脂がラミネートされているので、加熱溶融により胛表材同志の縫着部は、容易にシールすることができる。
また、前記胛表材部品同志の縫着部の縫い目の内、胛被の下周縁部へ向かう着部の縫い目は、胛被の下周縁部における中底材や胛裏材と縫着した縫い目と交差することなく、縫い止めされており、その縫い止めされた縫い目は、靴底により被覆されているので、胛表同志材の縫着部の糸目を伝わって、水分が中底材や胛裏材等の内装材へ浸入することを防止することができる。
【０００８】
本発明の防水靴に使用する靴底は、射出成形又は注入成形により成形された靴底である。
その靴底材は、具体的にポリ塩化ビニル、熱可塑性ゴム等の熱可塑性樹脂やポリオール液とポリイソシアネート液を混合して発泡硬化させた発泡ポリウレタンを使用する。
本発明の防水靴は、袋物胛被を吊り込んだラストと、ソールモールドと、サイドモールドを組み合わせて形成した本底成形空隙部に、前記靴底材を射出成形又は注入成形することにより製造する。
前記底材は、射出成形又は注入成形時、可塑化され、または、液状の状態であるので、浸透性がよく、胛表材部品同志の縫い目をシールすることができる。
【０００９】
本発明の防水靴において、前記胛表材の縫着部の内、胛被の下周縁部へ向かう胛表材の縫着部は、胛表材と胛表材とを重ね縫いした部位、又は胛表材と胛表材とを割り押さえ縫いした部位である。
前記胛表材の縫着部の内、胛被の下周縁部へ向かう胛表材の縫着部は、胛表材の先部品と腰部品の縫着部であり、胛表材の外月型部品と腰部品の縫着部であり、胛表材の先飾り部品と先部品の縫着部であり、胛表材の踵紐部品と腰部品の縫着部である。
【００１０】
本発明の防水靴に用いる胛表材は、表面及び内面に水が浸入しない非透水性の防水性の素材であり、合成皮革、人工皮革、撥水処理された皮革等である。前記胛表材の裏面には、熱可塑性合成樹脂がラミネートされているのが好ましい。その場合、熱可塑性合成樹脂の融点は、加熱により溶融し糸目をシールするために、８０〜１２０℃が好ましく、材質はポリエステル、ポリアミド、ポリエチレン，ＥＶＡ等の素材が選ばれる。
【００１１】
【作用及び効果】
本発明の防水靴は、成形後において履用されたとき、胛表材の部品同志の縫着部の内、胛表材の下周縁部へ向かう縫い目が、靴の内装材の縫い目（中底縫いや下押さえ縫い等）と交差することがないので、糸目を伝って水が浸入してきても、胛裏材、中底材、カウンター材などの内装材へ糸目を伝って水が浸入せず、靴内に水が浸入することがない。
【００１２】
本発明の防水靴に用いる胛表材の裏面には、熱可塑性合成樹脂がラミネートされているので、縫製工程において、防水性の胛表材同志の縫着部を熱圧着すれば、胛表材の裏面にラミネートされた熱可塑性樹脂が溶融し、縫い糸の針穴を完全にシールするので、防水性が良く、防水テープを貼り付けたりする工程の負荷を減らし、防水性が完全となる。
【００１３】
【実施例】
［実施例の靴］
１．袋物胛被の縫製
胛表材として、ポリウレタンを含浸した不織布ベースにポリウレタンの表皮をコーティングした人工皮革を準備し、この人工皮革の裏面に融点が１００℃のポリエチレン樹脂フィルム厚み６０ミクロンをラミネートした。前記ラミネートした胛表材の先部品と腰部品を裁断し、裁断した甲裏材やその他の部品と共に胛被を縫製した後、胛被の下周縁部に中底材を縫着して袋物胛被を得た。
【００１４】
この時、胛表材の先部品と腰部品の縫着部は、図２に示すように、腰部品の小口裏を漉いて内側に折り込みとし、先部品との重ね部を二条縫いし、縫製工程において胛表材の先部品と腰部品の縫着部の内側に、防水テープを熱圧着してシールした。
又、前記縫着部の縫い目の下端部は、図１に示すように、中底縫いや下押え縫いの縫い糸と交差せぬように、射出成形時において靴底の小口部よりも下面の位置で縫い止めした。
【００１５】
２．防水靴の成形
前記袋物胛被をラストに吊り込みヒートセットを行なった後、ラストより型抜きし射出成形用ラストに吊り込み、この袋物胛被を吊り込んだラストと、ソールモールドと、サイドモールドとを組み合わせて形成される靴底成形空隙部に、ポリオールとポリイソシアネートを混合した液状のポリウレタンを注入成形し、発泡硬化させて、袋物胛被と靴底とを一体成形し、図６に示すような実施例の防水靴を得た。
【００１６】
［比較例の靴］
１．袋物胛被の縫製
実施例と同じ仕様の人工皮革を胛表材とし、この人工皮革の裏面に融点が１００℃のポリエチレン樹脂フィルム６０ミクロンをラミネートした。前記ラミネートした胛表材を先部品と腰部品に裁断し、裁断した甲裏材やその他の部品と共に胛被を縫製し、胛被の下周縁部に中底材を縫着して袋物胛被を得た。
【００１７】
この時、胛表材の先部品と腰部品の縫着部は、図６に示すように腰部品の小口裏を漉いて内側に折り込みとし、先部品との重ね部を二条縫いし、縫製工程において先部品と腰部品の縫着部の内側には防水テープを熱圧着してシールした。
又、前記縫着部の縫い目の下端部は、図５に示すように、中底縫いや下押え縫いの縫い糸と交差させて縫い落とした。
【００１８】
２．防水靴の成形
比較例の袋物胛被をラストに吊り込み実施例の靴と同じ製法により成形し、比較例の防水靴を得た。
【００１９】
［実施例の防水靴と比較例の防水靴の水漏れ試験の比較］
実施例の防水靴と比較例の防水靴を容器にいれ、水深が２．５ｃｍになるように水を入れ、約４時間浸漬し、靴内に水漏れするかどうか検査し、下記の結果を得た。この結果より実施例の防水靴は、防水性に優れていることが明らかである。
【００２０】
【表１】
0003572197.tif 000002
＊水漏れテストの条件：浸漬時間４Ｈ、水深２．５ｃｍ
【００２１】
【発明の効果】
本発明の防水靴は、胛被と中底とを縫着した袋物胛被の下面に、靴底を当接した防水靴において、前記胛被を構成する胛表材の縫着部は、その裏面がシールされており、前記胛表材の縫着部のうち、胛被の下周縁部へ向かう胛表材の縫着部は、その縫い目が靴底の小口部より下面で縫い止めされており、かつ胛被の下周縁部における中底材や胛裏材と縫着した縫い目と交差することなく縫い止めしたので、縫い目を伝わり水が浸入してきても、胛裏材や中底材等の内装材へ水が滲み出すことがなく、防水性が完全である。
【００２２】
本発明の防水靴は、胛被を構成する胛表材は、その裏面に熱可塑性合成樹脂がラミネートされており、前記胛表材の縫着部は、前記熱可塑性合成樹脂の加熱溶融により縫い目がシールされているので、防水性がより完全となる。又、胛被の縫着部の裏面に防水テープを貼る工程や、胛被の縫着部の裏面に撥水剤を塗布する等の工程を軽減される。
【図面の簡単な説明】
【図１】実施例の防水靴の胛表材の縫着部の部分拡大図。
【図２】図１のＡ−Ａ線断面図。
【図３】別の実施例の防水靴の胛表材の縫着部の断面図。
【図４】比較例の防水靴の胛表材の縫着部の部分拡大図。
【図５】図４のＢ−Ｂ線断面図。
【図６】実施例の防水靴の斜視図。
【符号の説明】
１．胛表材の腰部品
２．胛表材の先部品
３．縫糸
４．熱可塑性樹脂フィルム
５．防水テープ
６．胛表材の先部品と胛表材の腰部品との縫着部の縫い目
７．胛表材の先部品と胛表材の腰部品との縫着部の下端部の縫い止め部
８．中底と胛被の縫着部の縫い目
９．靴底の小口部
１０．靴底
１１．防水靴
【図１】
0003572197.tif 000003
【図２】
0003572197.tif 000004
【図３】
0003572197.tif 000005
【図４】
0003572197.tif 000006
【図５】
0003572197.tif 000007
【図６】
0003572197.tif 000008